(57)【要約】【課題】一対の燃焼器１，２に接続された一対の給気通路６，７を合流させて単一の送風機９に接続すると共に、給気通路の合流部８に、両給気通路６，７への送風量の分配比率を可変するダンパ部材１２を配置して成る強制給気式複合燃焼装置において、ダンパ部材１２の配置部を通過する際に発生する空気流の乱れに起因して、燃焼器１，２に不均一な風速分布で燃焼用空気が供給されることを防止する。【解決手段】各給気通路１，２に絞り部１３，１４を介設し、絞り部で空気流を整流させる。絞り部１３，１４の最小断面積部分を所定長さに亘って真直に延在するストレート形状に形成し、整流作用を効果的に発揮させる。【選択図】  図１
2004225970.tif 000002
【特許請求の範囲】
【請求項１】
互いに独立して作動する一対の燃焼器を備え、両燃焼器にそれぞれ接続される一対の給気通路を合流させて単一の送風機に接続し、この送風機から両燃焼器に燃焼用空気を供給する強制給気式複合燃焼装置であって、
両給気通路の合流部に、合流部に臨む一方の給気通路の入口部を閉鎖する位置から他方の給気通路の入口部を閉鎖する位置に亘って回動して、両給気通路への送風量の分配比率を可変する単一のダンパ部材を設けるものにおいて、
各給気通路に、断面積を入口部よりも狭くした絞り部を介設することを特徴とする強制給気式複合燃焼装置。
【請求項２】
前記絞り部の最小断面積の部分を所定長さに亘って真直に延在するストレート形状に形成することを特徴とする請求項１に記載の強制給気式複合燃焼装置。
【請求項３】
前記各給気通路に、前記絞り部の下流側に位置させて、風量検出手段を設けることを特徴とする請求項１または２に記載の強制給気式複合燃焼装置。
【発明の詳細な説明】
【０００１】
【発明の属する技術分野】
本発明は、給湯用燃焼器および風呂追い焚き用燃焼器といった互いに独立して作動する一対の燃焼器を備える強制給気式複合燃焼装置に関する。
【０００２】
【従来の技術】
従来、この種の燃焼装置において、一対の燃焼器にそれぞれ接続される一対の給気通路を合流させて単一の送風機に接続し、この送風機から両燃焼器に燃焼用空気を供給すると共に、各給気通路にそれぞれダンパを介設して、各燃焼器にその燃焼量に応じた風量で燃焼用空気を供給し得るようにしたものは知られている（例えば、特許文献１参照。）。
【０００３】
然し、このものでは、風量調整用のダンパを両給気通路に設けることから、コストが高くなる。そこで、両給気通路の合流部に、合流部に臨む一方の給気通路の入口部を閉鎖する位置から他方の給気通路の入口部を閉鎖する位置に亘って回動して、両給気通路への送風量の分配比率を可変する単一のダンパ部材を設け、このダンパ部材の回動制御により、各燃焼器にその燃焼量に応じた風量で燃焼用空気を供給し得るようにしたものも知られている（例えば、特許文献２参照）。
【０００４】
【特許文献１】
実開昭５９−９２３４３号公報（第３図）
【特許文献２】
特許第２５５９１５４号公報（第２頁、第２図〜第４図）
【０００５】
【発明が解決しようとする課題】
上記後者の従来技術によれば、燃焼用空気の風量調整用ダンパ部材が１個で足りるため、コストダウンを図れる利点があるが、ダンパ部材の配置部を通過する際に空気流に乱れを生じて流速分布が不均一になりやすく、燃焼器の全域に均一に燃焼用空気を供給できなくなる。
【０００６】
本発明は、以上の点に鑑み、給気通路における燃焼用空気の流速分布を均一化し得るようにした強制給気式複合燃焼装置を提供することをその課題としている。
【０００７】
【課題を解決するための手段】
上記課題を解決するために、本発明は、互いに独立して作動する一対の燃焼器を備え、両燃焼器にそれぞれ接続される一対の給気通路を合流させて単一の送風機に接続し、この送風機から両燃焼器に燃焼用空気を供給する強制給気式複合燃焼装置であって、両給気通路の合流部に、合流部に臨む一方の給気通路の入口部を閉鎖する位置から他方の給気通路の入口部を閉鎖する位置に亘って回動して、両給気通路への送風量の分配比率を可変する単一のダンパ部材を設けるものにおいて、各給気通路に、断面積を入口部よりも狭くした絞り部を介設している。
【０００８】
上記の構成によれば、ダンパ部材の配置部を通過する際に空気流の乱れを生じても、各給気通路の絞り部で空気流が整流される。そのため、各給気通路の絞り部の下流側での流速分布が均一化され、各燃焼器にその全域に亘って均等に燃焼用空気が供給され、燃焼状態が良好になる。
【０００９】
ここで、絞り部の最小断面積の部分を所定長さに亘って真直に延在するストレート形状に形成しておけば、絞り部における整流作用が一層効果的に発揮され、有利である。
【００１０】
また、各給気通路から供給される燃焼用空気の風量に合わせて各燃焼器に供給する燃料ガス量をフィードバック制御するため、各給気通路に風量検出手段を配置することがあるが、この場合、各給気通路に、絞り部の下流側に位置させて風量検出手段を設ければ、検出手段の配置箇所では空気流が整流されているため、空気流の乱れの影響で検出バラツキが生ずることを防止できる。
【００１１】
【発明の実施の形態】
図１は、横並びで第１と第２の一対の燃焼器１，２を並設した強制給気式複合燃焼装置を示している。ここで、一方の第１燃焼器１は、給湯用燃焼器であり、他方の第２燃焼器２は、風呂の追い焚き用燃焼器であって、互いに独立して作動されるものである。各燃焼器１，２は、それぞれ、燃焼胴３内に、下部のバーナ４と、上部の水熱交換機５とを収納して構成されている。
【００１２】
第１燃焼器１の燃焼胴３には、下方に伸びる第１給気通路６が接続され、第２燃焼器２の燃焼胴３にも、同様に、下方に伸びる第２給気通路７が接続されている。第１と第２の両給気通路６，７は、その下方で互いに合流し、この合流部８を介して単一の送風機９に接続され、送風機９により両給気通路６，７を介して両燃焼器１，２に燃焼用空気が供給される。
【００１３】
なお、各燃焼器１，２の燃焼胴３には、バーナ４の下側に位置させて、多数の透孔を形成した均圧板１０が配置されており、各給気通路６，７からの空気が燃焼胴３の最下部の分配空間１１から均圧板１０を介してバーナ４の配置部に導かれるようになっている。
【００１４】
両給気通路６，７の合流部８には、合流部８に臨む第１給気通路６の入口部６ａを閉鎖する位置と、合流部８に臨む第２給気通路７の入口部７ａを閉鎖する位置との間で回動自在な単一のダンパ部材１２が設けられており、ダンパ部材１２の回動で両給気通路６，７への送風量の分配比率を可変し得るようにしている。
【００１５】
ここで、ダンパ部材１２の回動角をある角度に固定した状態で送風機９の回転数を上昇させて送風量を増加させると、両給気通路６，７に供給される風量がダンパ部材１２の回動角に対応する所定の分配比率を保ったまま増加するが、ダンパ部材１２を一方の給気通路、例えば、第２給気通路７の入口部７ａの開度を狭める方向に回動した状態で送風機９からの送風量を増加させれば、第２給気通路７側の分配比率が小さくなっているため、第２給気通路７への供給風量を変えずに、第１給気通路６への供給風量を増加させることができる。また、ダンパ部材１２を第２給気通路７の入口部７ａの開度を広げる方向に回動した状態で送風機９からの送風量を減少させれば、第２給気通路７側の分配比率が大きくなっているため、第２給気通路７への供給風量を変えずに、第１給気通路６への供給風量を減少させることができる。従って、ダンパ部材１２の回動角と送風機９の回転数とを組み合わせて制御することにより、各燃焼器１，２から要求される風量に合わせて各給気通路６，７への供給風量を可変できる。
【００１６】
上記の如くダンパ部材１２を配置すると、ダンパ部材１２の配置部を通過する際に空気の流れに乱れを生じやすくなる。ここで、各給気通路６，７から各燃焼器１，２の分布空間１１に流入する空気流に乱れがあっても、ある程度の乱れであれば、均圧板１０の働きによりバーナ４の配置部に均一な流速分布で燃焼用空気を供給できる。然し、ダンパ部材１２の配置部を通過する際に生ずる空気流の乱れの程度は、ダンパ部材１２の回動角や風量によって変化し、各燃焼器１，２の分布空間１１に流入する空気流の乱れの程度も変化して、均圧板１０だけで流速分布を均一化することは困難である。
【００１７】
そこで、本実施形態では、各給気通路６，７に、断面積を入口部６ａ，７ａよりも狭くした絞り部１３，１４を介設している。各絞り部１３，１４の最小断面積の部分１３ａ，１４ａは、所定長さに亘って真直に延在するストレート形状に形成されており、絞り部１３，１４で空気流が効率よく整流されるようにしている。
【００１８】
また、絞り部１３，１４の流入部および流出部は、断面積が緩やかに変化するように形成されており、そのため、大きな圧損を生ずることなく整流化作用が発揮される。なお、最小断面積部分１３ａ，１４ａの入口部６ａ，７ａの断面積に対する面積比は、５０〜８０％にすることが望ましい。但し、面積比の下限は必要最大風量に応じて変化する。
【００１９】
以上の構成によれば、ダンパ部材１２の配置部を通過する際に空気流に乱れを生じても、絞り部１３，１４で整流されるため、各燃焼器１，２の分布空間１１と均圧板１０とを介してバーナ４にその全域に亘って均一な風速分布で燃焼用空気が供給され、バーナ４の燃焼状態は良好になる。
【００２０】
ところで、各燃焼器１，２の要求空気量に対し実際の供給空気量が若干ずれることがある。そのため、各給気通路６，７に圧力センサ等から成る風量検出手段１５を配置し、検出風量と要求風量との偏差に応じてバーナ４への供給ガス量を補正し、実際の供給空気量と供給ガス量とのバランスを取れるようにしている。この場合、風量検出手段１５の配置箇所に空気流の乱れが及ぶと、検出風量にバラツキを生ずる。そこで、本実施形態では、絞り部１３，１４の下流側に風量検出手段１５を配置している。絞り部１３，１４の下流側では空気流が整流されているため、バラツキを生ずることなく風量を検出できる。
【００２１】
以上、給湯用と追い焚き用の一対の燃焼器１，２を備える複合式燃焼装置に本発明を適用した実施形態について説明したが、独立して作動する一対の燃焼器を備える他の複合燃焼器にも同様に本発明を適用できる。
【図面の簡単な説明】
【図１】本発明の実施形態の燃焼装置の断面図。
【符号の説明】
１，２…燃焼器  ６，７…給気通路  ６ａ，７ａ…入口部  ８…合流部  ９…送風機  １２…ダンパ部材  １３，１４…絞り部  １３ａ，１４ａ…最小断面部分  １５…風量検出手段
【図１】
2004225970.tif 000003